(57)【要約】  【課題】フルボトルタイプのダミー容器専用の取付台に対して、フルボトルとハーフボトルの両タイプのダミー容器を、兼用的に取り付けられるようにせんとするものである。  【解決手段】フルボトルタイプのダミー容器を取り付けるための取付台に装着し得る係止手段と、ハーフボトルタイプのダミー容器を装着し得る保持手段とを備えてなることを特徴とする。  【選択図】  図１
2005092455.tif 000002
【特許請求の範囲】
【請求項１】
略円筒形タイプのダミー容器を取り付けるための略円形の切欠孔を形成した取付台板に、該台板の切欠孔に着脱自在に装着されるアタッチメントを介して容器を縦半分に切除したタイプのダミー容器を取り付けるようにしたことを特徴とする自動販売機におけるダミー容器の取付装置。
【請求項２】
切欠孔に対して装着されるアタッチメントが、切欠孔の下部周縁に係止する係止手段と、容器を縦半分に切除したタイプのダミー容器を保持し得る保持手段とを有していることを特徴とする請求項１に記載のダミー容器の取付装置。
【請求項３】
係止手段が、取付台板の切欠孔に合わせてアタッチメントの裏面から下方に突出した略円輪状の突出部を有し、この円輪状突出部における周上の数カ所に略扇形のフランジを設けてなり、該円輪状突出部と切欠孔の曲率半径の相違による回り締めと、該フランジとアタッチメントとの間に取付台板を狭持して、アタッチメントを取付台板に係止するようにしたことを特徴とする請求項１又は２に記載のダミー容器の取付装置。
【請求項４】
保持手段が、容器を縦半分に切除したタイプのダミー容器の底面に設けられた突出部を挿入し得るアタッチメントの表裏に貫通した取付孔と、この取付孔に該ダミー容器を装着した際の揺動や脱落を防止するために前記取付孔の開口縁端に設けられた爪片部とから構成されることを特徴とする請求項１乃至３に記載のダミー容器の取付装置。
【発明の詳細な説明】
【技術分野】
【０００１】
この発明は、ボトル形状のダミー容器を自動販売機内に安定的に取り付けるための取付装置に関する。
【背景技術】
【０００２】
従来より広く普及している自動販売機の見本表示部に配置されるダミー容器には、一般的に、全体形状が略円筒形でその底面が円形の所謂フルボトルと呼ばれるタイプのものと、ボトルを縦半分に切断した形状で底面が略半円形のハーフボトルと呼ばれるタイプのものとがある。それら何れのタイプのダミー容器もその多くは、自動販売機の見本表示部の取付台板に、その底面を取り付けて配置される構造を有するが、ダミー容器背後の形状の違いや底面形状の違いから、自ずと取付構造を異にしており、フルボトル及びハーフボトルタイプの両ダミー容器は、それぞれ専用の取付台板を必要とする取付構造となっている。そのため、かかる従来の取付構造では、ダミー容器のタイプ毎にそれに対応した取付台板を必要とし、取付台板を兼用出来ないため、フルボトルタイプからハーフボトルタイプに付け替えたり、両タイプのダミー容器を併設することが出来ず、不合理であり、或いは付け替えの費用が高額化してしまうという問題があった。
【発明の開示】
【発明が解決しようとする課題】
【０００３】
この発明は、フルボトルタイプ専用の取付台板に対して、フルボトル及びハーフボトルの両タイプのダミー容器を、簡便にして兼用的に取り付け、或いは取り外しできるようにせんとするものである。
【課題を解決するための手段】
【０００４】
上記課題を解決するためにこの発明が採った手段は、全体が略円筒形で底面が略円形のフルボトルタイプのダミー容器を取り付けるための略円形の切欠孔を形成した取付台板に、該台板の切欠孔に着脱自在に装着されるアタッチメントを介して容器を縦半分に切除し底面が略半円形のハーフボトルタイプのダミー容器を取り付けられるようにしたことを特徴とする。
【０００５】
切欠孔に対して装着されるアタッチメントが、切欠孔の下部周縁に係止する係止手段と、前記ハーフボトルタイプのダミー容器を保持し得る保持手段とを有していることを特徴とする。
【０００６】
係止手段が、取付台板の切欠孔に合わせてアタッチメントの裏面から下方に突出した略円輪状の突出部を有し、この円輪状突出部における周上の数カ所に略扇形のフランジを設けてなり、該円輪状突出部と切欠孔の曲率半径の相違による回り締めと、該フランジとアタッチメントとの間に取付台板を狭持して、アタッチメントを取付台板に係止するようにしたことを特徴とする
【０００７】
保持手段が、前記ハーフボトルタイプのダミー容器の底面に設けられた突出部を挿入し得るアタッチメントの表裏に貫通した取付孔と、この取付孔に該ダミー容器を装着した際の揺動や脱落を防止するために前記取付孔の開口縁端に設けられた爪片部とから構成されることを特徴とする。
【発明の効果】
【０００８】
この発明によれば、フルボトルタイプのダミー容器用の取付台に対し、当該発明のダミー容器の取付装置を取り付けるだけで、ハーフボトルタイプのダミー容器も取り付けることが出来る。又、この発明のアタッチメントは安価なプラスチックでも簡単に成形出来るので、コストの低下を図ることが出来ると共に、簡便な着脱性を与え、取り付けや取り外しの作業性を向上させることが出来る。
【０００９】
又、この発明のアタッチメントは、取付台に対して付け放って置くことが出来、不要となれば簡単に取り外すことも出来る。
【発明を実施するための最良の形態】
【００１０】
この発明の好ましい実施の形態を、以下に詳細に説明する。図１を参照して、フルボトルタイプのダミー容器取付用の切欠孔(10)が複数設けられたフルボトルタイプのダミー容器専用の取付台(11)と、これに直接取り付けられたフルボトルタイプのダミー容器(12)と、この発明にかかるダミー容器取付用のアタッチメント(13)を介して取り付けられたハーフボトルタイプのダミー容器(14)を示し、両タイプのダミー容器を該取付台(11)に対して、併せて取り付けた状態を説明する。フルボトルタイプのダミー容器(12)は、実際のボトル容器の形状を模した形状をなし、実物のボトル容器を模したデザイン並びに商標等の印刷物を備え、底面から下方に突出した取付用の円形突出部を有し、この円形突出部を上記取付台(11)の切欠孔(10)に嵌合して固定し、該円形突出部の周上に設けられたリブによってダミー容器(12)の揺動や脱落を防止するように構成される。ハーフボトルタイプのダミー容器(14)は、実際のボトル容器を縦に切断した形状をなし、フルボトルタイプと同様に実物のボトル容器を模したデザイン並びに商標等の印刷物を備え、略半円形の底面から下方に突出した取付用の方形突出部(15)を有し（図３参照）、この方形突出部(15)を後述する当該発明のアタッチメント(13)を介して前記取付台(11)に固定される。
【００１１】
当該発明のアタッチメント(13)の一実施例を図２に示し、その構造と取り付けの詳細を説明する。アタッチメント(13)の裏面から下方に突出した略円輪状の突出部(16)を備え、この下方に突出した円輪の直径と円周との交点である周上の所定の二カ所に略扇形のフランジ(17)を設け、またこのフランジ(17)を設けた部分の略円輪状突出部(16)の半径がフランジ(17)を設けていない部分のそれと比べて大きい部分を有するように構成される。そしてフランジ(17)部分に対応する切欠孔(10)の所定位置には、該フランジ(17)部分を係入し得るように半径方向に拡げて円弧状に切除した切り込み部(18)を有し、この切り込み部(18)にフランジ(17)部分を合わせて該円輪状突出部(16)を該切欠孔(10)に挿入し、水平面内においてアタッチメント(13)を幾分回転させて、半径の大きいフランジ(17)部分が、切欠孔(10)の最大半径部分である切り込み部(18)からずらすことによって、相対的に半径が縮んで互いに締め付け合い、該フランジ(17)とアタッチメント(13)の裏面とによって取付台(11)板の肉厚を狭持することによってアタッチメント(13)を取付台(11)板に係止するように構成される。
【００１２】
また、アタッチメント(13)は、その裏面に設けられた該円輪状突出部(16)のほぼ直径を一定幅で残し、該円輪状突出部(16)の円輪の内径を逸脱しない範囲内において、その表裏を貫通して切除されたハーフボトルタイプのダミー容器(14)を取り付けるための略台形の取付孔(19)と、該円輪の内径にほぼ沿って切除された略半円形の空間部(20)を有し、前記一定幅で残された直径部分(21)上に、適当な間隔を存して爪片部(22)を二カ所に形成し、該直径部分(21)の対辺に相当する略台形の取付孔(19)の一辺上に凸部(23)形成して構成される。ここで、取付孔(19)は略台形に切除された孔であるが、この孔の形状は台形に限らずハーフボトルの底部から突出した取付用の突出部の形状に合わせ、任意の形状に出来、またこれと同様に、取付台にアタッチメントを係止するための係止手段が、アタッチメント(13)の裏面から下方に突出した円輪状の突出部(16)に限らず、取付台に設けられたフルボトルタイプのダミー容器を取り付けるための孔の形状に合わせ、任意の形状に出来ることは勿論である。
【００１３】
図３に斜め下方の視点からのハーフボトルタイプのダミー容器(14)の斜視図を示し、その裏面から下方に突出した方形突出部(15)の構造を詳細に説明する。方形突出部(15)の側面には、略台形の取付孔(19)の一辺上に設けられた凸部(23)と嵌合する凹部(24)が形成され、そして方形突出部(15)の後端と連結して、ダミー容器(14)の底面の切断部から垂下した補強板(25)を備えた格好とないる。
【００１４】
図４〜６を参照してアタッチメント(13)に対するハーフボトルタイプのダミー容器(14)の取り付けの詳細を説明する。ダミー容器(14)の補強板(25)、方形突出部(15)という順に、アタッチメント(13)の取付孔(19)に挿入し、方形突出部(15)の凹部(24)と取付孔(19)の凸部(23)係合するようにダミー容器(14)をアタッチメント(13)に嵌合する（図４ａ、４ｂの状態）。図５に示すようにダミー容器(14)は、直径部分(21)上に設けられた二つの爪片部(22)と、凹部(24)と凸部(23)の嵌合による３点から狭持された緊張状態となる。この結果、図６に示すようにダミー容器(14)は、その弾力性により取付台(11)に対してぴったりと密着して揺動や脱落が防止されつつ安定的にしっかりと取り付けられる。
【図面の簡単な説明】
【００１５】
【図１】二種のダミー容器を取り付けた状態を概略的に説明する説明図
【図２ａ】取付台の切欠孔に対するアタッチメントの取り付け方法を示す斜視図
【図２ｂ】取付台の切欠孔に対しアタッチメントを取り付けた状態を示す断面図
【図３】ハーフボトルタイプのダミー容器の底部を示す拡大斜視図
【図４ａ】ダミー容器の取付始期を示す断面図
【図４ｂ】ダミー容器の取付状態を示す断面図
【図５ａ】アタッチメントとダミー容器の関連を示す取付前状態の底面図
【図５ｂ】アタッチメントとダミー容器の関連を示す取付後状態の底面図
【図６】アタッチメントとダミー容器の関連を示す取付状態の断面図
【符号の説明】
【００１６】
１０    切欠孔
１１    取付台
１２    フルボトルタイプのダミー容器
１３    アタッチメント
１４    ハーフボトルタイプのダミー容器
１５    方形突出部
１６    円輪状の突出部
１７    フランジ
１８    切り込み部
１９    取付孔
２０    空間部
２１    直径部分
２２    爪片部
２３    凸部
２４    凹部
２５    補強板
【図１】
2005092455.tif 000003
【図２ａ】
2005092455.tif 000004
【図２ｂ】
2005092455.tif 000005
【図３】
2005092455.tif 000006
【図４ａ】
2005092455.tif 000007
【図４ｂ】
2005092455.tif 000008
【図５ａ】
2005092455.tif 000009
【図５ｂ】
2005092455.tif 000010
【図６】
2005092455.tif 000011